【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位で前記動画像が符号化された符号化ビット列を復号する動画像復号装置であって、
復号対象予測ブロックと同一ピクチャ内の前記復号対象予測ブロックと隣接する復号済みの予測ブロックの動きベクトルから、１つ以上の予測動きベクトルの候補を導出し、導出した予測動きベクトルの候補を予測動きベクトル候補リストに登録する予測動きベクトル候補生成部
を備え、
前記予測動きベクトル候補生成部は、設定された数の予測動きベクトルの候補を得るために、前記復号済みの予測ブロックの内のどの予測ブロックの動きベクトルが予測動きベクトルの候補を導出するための動きベクトルとなるかの判定を行う際、左側の隣接ブロックグループ、及び上側の隣接ブロックグループの隣接ブロックグループ毎に所定順の各予測ブロックに対して、
条件１．復号対象予測ブロックで導出対象としている予測動きベクトルの参照リストと同じ参照リストで、同じ参照ピクチャの動きベクトルが存在する、
条件２．復号対象予測ブロックで導出対象としている予測動きベクトルの参照リストとは異なる参照リストで、同じ参照ピクチャの動きベクトルが存在する、
条件３．復号対象予測ブロックで導出対象としている予測動きベクトルの参照リストと同じ参照リストで、異なる参照ピクチャの動きベクトルが存在する、
条件４．復号対象予測ブロックで導出対象としている予測動きベクトルの参照リストとは異なる参照リストで、異なる参照ピクチャの動きベクトルが存在する、
の各条件の判定を、まず、条件１，２についてその条件１，２の優先順序で各予測ブロックに対して行い、次に条件３，４についてその条件３，４の優先順序で各予測ブロックに対して行うことを特徴とする動画像復号装置。
【請求項２】
動画像の各ピクチャを分割したブロック単位で前記動画像が符号化された符号化ビット列を復号する動画像復号方法であって、
復号対象予測ブロックと同一ピクチャ内の前記復号対象予測ブロックと隣接する復号済みの予測ブロックの動きベクトルから、１つ以上の予測動きベクトルの候補を導出し、導出した予測動きベクトルの候補を予測動きベクトル候補リストに登録する予測動きベクトル候補生成ステップ、
を有し、
前記予測動きベクトル候補生成ステップは、設定された数の予測動きベクトルの候補を得るために、前記復号済みの予測ブロックの内のどの予測ブロックの動きベクトルが予測動きベクトルの候補を導出するための動きベクトルとなるかの判定を行う際、左側の隣接ブロックグループ、及び上側の隣接ブロックグループの隣接ブロックグループ毎に所定順の各予測ブロックに対して、
条件１．復号対象予測ブロックで導出対象としている予測動きベクトルの参照リストと同じ参照リストで、同じ参照ピクチャの動きベクトルが存在する、
条件２．復号対象予測ブロックで導出対象としている予測動きベクトルの参照リストとは異なる参照リストで、同じ参照ピクチャの動きベクトルが存在する、
条件３．復号対象予測ブロックで導出対象としている予測動きベクトルの参照リストと同じ参照リストで、異なる参照ピクチャの動きベクトルが存在する、
条件４．復号対象予測ブロックで導出対象としている予測動きベクトルの参照リストとは異なる参照リストで、異なる参照ピクチャの動きベクトルが存在する、
の各条件の判定を、まず、条件１，２についてその条件１，２の優先順序で各予測ブロックに対して行い、次に条件３，４についてその条件３，４の優先順序で各予測ブロックに対して行うことを特徴とする動画像復号方法。
【請求項３】
動画像の各ピクチャを分割したブロック単位で前記動画像が符号化された符号化ビット列を復号する動画像復号プログラムであって、
復号対象予測ブロックと同一ピクチャ内の前記復号対象予測ブロックと隣接する復号済みの予測ブロックの動きベクトルから、１つ以上の予測動きベクトルの候補を導出し、導出した予測動きベクトルの候補を予測動きベクトル候補リストに登録する予測動きベクトル候補生成ステップ
をコンピュータに実行させ、
前記予測動きベクトル候補生成ステップは、設定された数の予測動きベクトルの候補を得るために、前記復号済みの予測ブロックの内のどの予測ブロックの動きベクトルが予測動きベクトルの候補を導出するための動きベクトルとなるかの判定を行う際、左側の隣接ブロックグループ、及び上側の隣接ブロックグループの隣接ブロックグループ毎に所定順の各予測ブロックに対して、
条件１．復号対象予測ブロックで導出対象としている予測動きベクトルの参照リストと同じ参照リストで、同じ参照ピクチャの動きベクトルが存在する、
条件２．復号対象予測ブロックで導出対象としている予測動きベクトルの参照リストとは異なる参照リストで、同じ参照ピクチャの動きベクトルが存在する、
条件３．復号対象予測ブロックで導出対象としている予測動きベクトルの参照リストと同じ参照リストで、異なる参照ピクチャの動きベクトルが存在する、
条件４．復号対象予測ブロックで導出対象としている予測動きベクトルの参照リストとは異なる参照リストで、異なる参照ピクチャの動きベクトルが存在する、
の各条件の判定を、まず、条件１，２についてその条件１，２の優先順序で各予測ブロックに対して行い、次に条件３，４についてその条件３，４の優先順序で各予測ブロックに対して行うことを特徴とする動画像復号プログラム。
【請求項４】
動画像が符号化された符号化ビット列を受信して復号する受信装置であって、
動画像の各ピクチャを分割したブロック単位で前記動画像が符号化された符号化ビット列がパケット化された符号化ストリームを受信する受信部と、
受信された前記パケット化された符号化ストリームをパケット処理して元の符号化ビット列を復元する復元部と、
復号対象予測ブロックと同一ピクチャ内の前記復号対象予測ブロックと隣接する復号済みの予測ブロックの動きベクトルから、１つ以上の予測動きベクトルの候補を導出し、導出した予測動きベクトルの候補を予測動きベクトル候補リストに登録する予測動きベクトル候補生成部と
を備え、
前記予測動きベクトル候補生成部は、設定された数の予測動きベクトルの候補を得るために、前記復号済みの予測ブロックの内のどの予測ブロックの動きベクトルが予測動きベクトルの候補を導出するための動きベクトルとなるかの判定を行う際、左側の隣接ブロックグループ、及び上側の隣接ブロックグループの隣接ブロックグループ毎に所定順の各予測ブロックに対して、
条件１．復号対象予測ブロックで導出対象としている予測動きベクトルの参照リストと同じ参照リストで、同じ参照ピクチャの動きベクトルが存在する、
条件２．復号対象予測ブロックで導出対象としている予測動きベクトルの参照リストとは異なる参照リストで、同じ参照ピクチャの動きベクトルが存在する、
条件３．復号対象予測ブロックで導出対象としている予測動きベクトルの参照リストと同じ参照リストで、異なる参照ピクチャの動きベクトルが存在する、
条件４．復号対象予測ブロックで導出対象としている予測動きベクトルの参照リストとは異なる参照リストで、異なる参照ピクチャの動きベクトルが存在する、
の各条件の判定を、まず、条件１，２についてその条件１，２の優先順序で各予測ブロックに対して行い、次に条件３，４についてその条件３，４の優先順序で各予測ブロックに対して行うことを特徴とする受信装置。
【請求項５】
動画像が符号化された符号化ビット列を受信して復号する受信方法であって、
動画像の各ピクチャを分割したブロック単位で前記動画像が符号化された符号化ビット列がパケット化された符号化ストリームを受信する受信ステップと、
受信された前記パケット化された符号化ストリームをパケット処理して元の符号化ビット列を復元する復元ステップと、
復号対象予測ブロックと同一ピクチャ内の前記復号対象予測ブロックと隣接する復号済みの予測ブロックの動きベクトルから、１つ以上の予測動きベクトルの候補を導出し、導出した予測動きベクトルの候補を予測動きベクトル候補リストに登録する予測動きベクトル候補生成ステップと
を有し、
前記予測動きベクトル候補生成ステップは、設定された数の予測動きベクトルの候補を得るために、前記復号済みの予測ブロックの内のどの予測ブロックの動きベクトルが予測動きベクトルの候補を導出するための動きベクトルとなるかの判定を行う際、左側の隣接ブロックグループ、及び上側の隣接ブロックグループの隣接ブロックグループ毎に所定順の各予測ブロックに対して、
条件１．復号対象予測ブロックで導出対象としている予測動きベクトルの参照リストと同じ参照リストで、同じ参照ピクチャの動きベクトルが存在する、
条件２．復号対象予測ブロックで導出対象としている予測動きベクトルの参照リストとは異なる参照リストで、同じ参照ピクチャの動きベクトルが存在する、
条件３．復号対象予測ブロックで導出対象としている予測動きベクトルの参照リストと同じ参照リストで、異なる参照ピクチャの動きベクトルが存在する、
条件４．復号対象予測ブロックで導出対象としている予測動きベクトルの参照リストとは異なる参照リストで、異なる参照ピクチャの動きベクトルが存在する、
の各条件の判定を、まず、条件１，２についてその条件１，２の優先順序で各予測ブロックに対して行い、次に条件３，４についてその条件３，４の優先順序で各予測ブロックに対して行うことを特徴とする受信方法。
【請求項６】
動画像が符号化された符号化ビット列を受信して復号する受信プログラムであって、
動画像の各ピクチャを分割したブロック単位で前記動画像が符号化された符号化ビット列がパケット化された符号化ストリームを受信する受信ステップと、
受信された前記パケット化された符号化ストリームをパケット処理して元の符号化ビット列を復元する復元ステップと、
復号対象予測ブロックと同一ピクチャ内の前記復号対象予測ブロックと隣接する復号済みの予測ブロックの動きベクトルから、１つ以上の予測動きベクトルの候補を導出し、導出した予測動きベクトルの候補を予測動きベクトル候補リストに登録する予測動きベクトル候補生成ステップと
をコンピュータに実行させ、
前記予測動きベクトル候補生成ステップは、設定された数の予測動きベクトルの候補を得るために、前記復号済みの予測ブロックの内のどの予測ブロックの動きベクトルが予測動きベクトルの候補を導出するための動きベクトルとなるかの判定を行う際、左側の隣接ブロックグループ、及び上側の隣接ブロックグループの隣接ブロックグループ毎に所定順の各予測ブロックに対して、
条件１．復号対象予測ブロックで導出対象としている予測動きベクトルの参照リストと同じ参照リストで、同じ参照ピクチャの動きベクトルが存在する、
条件２．復号対象予測ブロックで導出対象としている予測動きベクトルの参照リストとは異なる参照リストで、同じ参照ピクチャの動きベクトルが存在する、
条件３．復号対象予測ブロックで導出対象としている予測動きベクトルの参照リストと同じ参照リストで、異なる参照ピクチャの動きベクトルが存在する、
条件４．復号対象予測ブロックで導出対象としている予測動きベクトルの参照リストとは異なる参照リストで、異なる参照ピクチャの動きベクトルが存在する、
の各条件の判定を、まず、条件１，２についてその条件１，２の優先順序で各予測ブロックに対して行い、次に条件３，４についてその条件３，４の優先順序で各予測ブロックに対して行うことを特徴とする受信プログラム。
【手続補正２】
【補正対象書類名】明細書
【補正対象項目名】００１０
【補正方法】変更
【補正の内容】
【００１０】
本発明は、動画像の各ピクチャを分割したブロック単位で前記動画像が符号化された符号化ビット列を復号する動画像復号装置であって、復号対象予測ブロックと同一ピクチャ内の前記復号対象予測ブロックと隣接する復号済みの予測ブロックの動きベクトルから、１つ以上の予測動きベクトルの候補を導出し、導出した予測動きベクトルの候補を予測動きベクトル候補リストに登録する予測動きベクトル候補生成部を備え、前記予測動きベクトル候補生成部は、設定された数の予測動きベクトルの候補を得るために、前記復号済みの予測ブロックの内のどの予測ブロックの動きベクトルが予測動きベクトルの候補を導出するための動きベクトルとなるかの判定を行う際、左側の隣接ブロックグループ、及び上側の隣接ブロックグループの隣接ブロックグループ毎に所定順の各予測ブロックに対して、条件１．復号対象予測ブロックで導出対象としている予測動きベクトルの参照リストと同じ参照リストで、同じ参照ピクチャの動きベクトルが存在する、条件２．復号対象予測ブロックで導出対象としている予測動きベクトルの参照リストとは異なる参照リストで、同じ参照ピクチャの動きベクトルが存在する、条件３．復号対象予測ブロックで導出対象としている予測動きベクトルの参照リストと同じ参照リストで、異なる参照ピクチャの動きベクトルが存在する、条件４．復号対象予測ブロックで導出対象としている予測動きベクトルの参照リストとは異なる参照リストで、異なる参照ピクチャの動きベクトルが存在する、の各条件の判定を、まず、条件１，２についてその条件１，２の優先順序で各予測ブロックに対して行い、次に条件３，４についてその条件３，４の優先順序で各予測ブロックに対して行うことを特徴とする動画像復号装置を提供する。
また本発明は、動画像の各ピクチャを分割したブロック単位で前記動画像が符号化された符号化ビット列を復号する動画像復号方法であって、復号対象予測ブロックと同一ピクチャ内の前記復号対象予測ブロックと隣接する復号済みの予測ブロックの動きベクトルから、１つ以上の予測動きベクトルの候補を導出し、導出した予測動きベクトルの候補を予測動きベクトル候補リストに登録する予測動きベクトル候補生成ステップを有し、前記予測動きベクトル候補生成ステップは、設定された数の予測動きベクトルの候補を得るために、前記復号済みの予測ブロックの内のどの予測ブロックの動きベクトルが予測動きベクトルの候補を導出するための動きベクトルとなるかの判定を行う際、左側の隣接ブロックグループ、及び上側の隣接ブロックグループの隣接ブロックグループ毎に所定順の各予測ブロックに対して、条件１．復号対象予測ブロックで導出対象としている予測動きベクトルの参照リストと同じ参照リストで、同じ参照ピクチャの動きベクトルが存在する、条件２．復号対象予測ブロックで導出対象としている予測動きベクトルの参照リストとは異なる参照リストで、同じ参照ピクチャの動きベクトルが存在する、条件３．復号対象予測ブロックで導出対象としている予測動きベクトルの参照リストと同じ参照リストで、異なる参照ピクチャの動きベクトルが存在する  条件４．復号対象予測ブロックで導出対象としている予測動きベクトルの参照リストとは異なる参照リストで、異なる参照ピクチャの動きベクトルが存在する、の各条件の判定を、まず、条件１，２についてその条件１，２の優先順序で各予測ブロックに対して行い、次に条件３，４についてその条件３，４の優先順序で各予測ブロックに対して行うことを特徴とする動画像復号方法を提供する。
また本発明は、動画像の各ピクチャを分割したブロック単位で前記動画像が符号化された符号化ビット列を復号する動画像復号プログラムであって、復号対象予測ブロックと同一ピクチャ内の前記復号対象予測ブロックと隣接する復号済みの予測ブロックの動きベクトルから、１つ以上の予測動きベクトルの候補を導出し、導出した予測動きベクトルの候補を予測動きベクトル候補リストに登録する予測動きベクトル候補生成ステップをコンピュータに実行させ、前記予測動きベクトル候補生成ステップは、設定された数の予測動きベクトルの候補を得るために、前記復号済みの予測ブロックの内のどの予測ブロックの動きベクトルが予測動きベクトルの候補を導出するための動きベクトルとなるかの判定を行う際、左側の隣接ブロックグループ、及び上側の隣接ブロックグループの隣接ブロックグループ毎に所定順の各予測ブロックに対して、条件１．復号対象予測ブロックで導出対象としている予測動きベクトルの参照リストと同じ参照リストで、同じ参照ピクチャの動きベクトルが存在する、条件２．復号対象予測ブロックで導出対象としている予測動きベクトルの参照リストとは異なる参照リストで、同じ参照ピクチャの動きベクトルが存在する、条件３．復号対象予測ブロックで導出対象としている予測動きベクトルの参照リストと同じ参照リストで、異なる参照ピクチャの動きベクトルが存在する、条件４．復号対象予測ブロックで導出対象としている予測動きベクトルの参照リストとは異なる参照リストで、異なる参照ピクチャの動きベクトルが存在する、の各条件の判定を、まず、条件１，２についてその条件１，２の優先順序で各予測ブロックに対して行い、次に条件３，４についてその条件３，４の優先順序で各予測ブロックに対して行うことを特徴とする動画像復号プログラムを提供する。
また本発明は、動画像が符号化された符号化ビット列を受信して復号する受信装置であって、動画像の各ピクチャを分割したブロック単位で前記動画像が符号化された符号化ビット列がパケット化された符号化ストリームを受信する受信部と、受信された前記パケット化された符号化ストリームをパケット処理して元の符号化ビット列を復元する復元部と、復号対象予測ブロックと同一ピクチャ内の前記復号対象予測ブロックと隣接する復号済みの予測ブロックの動きベクトルから、１つ以上の予測動きベクトルの候補を導出し、導出した予測動きベクトルの候補を予測動きベクトル候補リストに登録する予測動きベクトル候補生成部とを備え、前記予測動きベクトル候補生成部は、設定された数の予測動きベクトルの候補を得るために、前記復号済みの予測ブロックの内のどの予測ブロックの動きベクトルが予測動きベクトルの候補を導出するための動きベクトルとなるかの判定を行う際、左側の隣接ブロックグループ、及び上側の隣接ブロックグループの隣接ブロックグループ毎に所定順の各予測ブロックに対して、条件１．復号対象予測ブロックで導出対象としている予測動きベクトルの参照リストと同じ参照リストで、同じ参照ピクチャの動きベクトルが存在する、条件２．復号対象予測ブロックで導出対象としている予測動きベクトルの参照リストとは異なる参照リストで、同じ参照ピクチャの動きベクトルが存在する、条件３．復号対象予測ブロックで導出対象としている予測動きベクトルの参照リストと同じ参照リストで、異なる参照ピクチャの動きベクトルが存在する、条件４．復号対象予測ブロックで導出対象としている予測動きベクトルの参照リストとは異なる参照リストで、異なる参照ピクチャの動きベクトルが存在する、の各条件の判定を、まず、条件１，２についてその条件１，２の優先順序で各予測ブロックに対して行い、次に条件３，４についてその条件３，４の優先順序で各予測ブロックに対して行うことを特徴とする受信装置を提供する。
また本発明は、動画像が符号化された符号化ビット列を受信して復号する受信方法であって、動画像の各ピクチャを分割したブロック単位で前記動画像が符号化された符号化ビット列がパケット化された符号化ストリームを受信する受信ステップと、受信された前記パケット化された符号化ストリームをパケット処理して元の符号化ビット列を復元する復元ステップと、復号対象予測ブロックと同一ピクチャ内の前記復号対象予測ブロックと隣接する復号済みの予測ブロックの動きベクトルから、１つ以上の予測動きベクトルの候補を導出し、導出した予測動きベクトルの候補を予測動きベクトル候補リストに登録する予測動きベクトル候補生成ステップとを有し、前記予測動きベクトル候補生成ステップは、設定された数の予測動きベクトルの候補を得るために、前記復号済みの予測ブロックの内のどの予測ブロックの動きベクトルが予測動きベクトルの候補を導出するための動きベクトルとなるかの判定を行う際、左側の隣接ブロックグループ、及び上側の隣接ブロックグループの隣接ブロックグループ毎に所定順の各予測ブロックに対して、条件１．復号対象予測ブロックで導出対象としている予測動きベクトルの参照リストと同じ参照リストで、同じ参照ピクチャの動きベクトルが存在する、条件２．復号対象予測ブロックで導出対象としている予測動きベクトルの参照リストとは異なる参照リストで、同じ参照ピクチャの動きベクトルが存在する、条件３．復号対象予測ブロックで導出対象としている予測動きベクトルの参照リストと同じ参照リストで、異なる参照ピクチャの動きベクトルが存在する、条件４．復号対象予測ブロックで導出対象としている予測動きベクトルの参照リストとは異なる参照リストで、異なる参照ピクチャの動きベクトルが存在する、の各条件の判定を、まず、条件１，２についてその条件１，２の優先順序で各予測ブロックに対して行い、次に条件３，４についてその条件３，４の優先順序で各予測ブロックに対して行うことを特徴とする受信方法を提供する。
そして本発明は、動画像が符号化された符号化ビット列を受信して復号する受信プログラムであって、動画像の各ピクチャを分割したブロック単位で前記動画像が符号化された符号化ビット列がパケット化された符号化ストリームを受信する受信ステップと、受信された前記パケット化された符号化ストリームをパケット処理して元の符号化ビット列を復元する復元ステップと、復号対象予測ブロックと同一ピクチャ内の前記復号対象予測ブロックと隣接する復号済みの予測ブロックの動きベクトルから、１つ以上の予測動きベクトルの候補を導出し、導出した予測動きベクトルの候補を予測動きベクトル候補リストに登録する予測動きベクトル候補生成ステップとをコンピュータに実行させ、前記予測動きベクトル候補生成ステップは、設定された数の予測動きベクトルの候補を得るために、前記復号済みの予測ブロックの内のどの予測ブロックの動きベクトルが予測動きベクトルの候補を導出するための動きベクトルとなるかの判定を行う際、左側の隣接ブロックグループ、及び上側の隣接ブロックグループの隣接ブロックグループ毎に所定順の各予測ブロックに対して、条件１．復号対象予測ブロックで導出対象としている予測動きベクトルの参照リストと同じ参照リストで、同じ参照ピクチャの動きベクトルが存在する、条件２．復号対象予測ブロックで導出対象としている予測動きベクトルの参照リストとは異なる参照リストで、同じ参照ピクチャの動きベクトルが存在する、条件３．復号対象予測ブロックで導出対象としている予測動きベクトルの参照リストと同じ参照リストで、異なる参照ピクチャの動きベクトルが存在する、条件４．復号対象予測ブロックで導出対象としている予測動きベクトルの参照リストとは異なる参照リストで、異なる参照ピクチャの動きベクトルが存在する、の各条件の判定を、まず、条件１，２についてその条件１，２の優先順序で各予測ブロックに対して行い、次に条件３，４についてその条件３，４の優先順序で各予測ブロックに対して行うことを特徴とする受信プログラムを提供する。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】